(57)【要約】【課題】  倉庫や納戸にスキー用具を収納するような迂遠さを解消し、例えば、室内において、スキー用具をオブジェやインテリアの如く、飾っておくことの出来るスキー用具保持器具を提供する。【解決手段】  スキー用具１１の滑走面１１ｃを当接させて支持する為の支持部４と、スキー用具１１の長手方向端部１１ａを係合して保持する為の係合部６と、支持部４及び係合部６を支持固定する為の基枠２とを具備し、スキー用具１１を所定の角度に傾けた状態で保持することを特徴とする。【選択図】  図３
0003128664.tif 000002
【実用新案登録請求の範囲】
【請求項１】
スキー用具であるスキー板或いはスノーボードを立て掛ける為のスキー用具保持器具であって、
設置床面から所定の高さ位置において、前記スキー用具の滑走面を当接させて支持する為の支持部と、前記スキー用具の長手方向端部を係合して保持する為の係合部と、前記支持部及び前記係合部を支持固定する為の基枠とを具備し、
前記支持部は、前記係合部に対し、前記スキー用具保持器具の正面から見て後方に位置することにより、前記スキー用具を所定の角度に傾けた状態で保持することを特徴とするスキー用具保持器具。
【請求項２】
前記支持部には、前記スキー用具の滑走面と対向する位置に緩衝材が備えられていることを特徴とする請求項１に記載のスキー用具保持器具。
【請求項３】
前記支持部は、略水平方向に所定の長さ延在したフレームであることを特徴とする請求項１ないし請求項２の何れかに記載のスキー用具保持器具。
【請求項４】
前記基枠には、載置板が支持固定されていることを特徴とする請求項１ないし請求項３のいずれかに記載のスキー用具保持器具。
【請求項５】
前記載置板は、網状部材であることを特徴とする請求項４に記載のスキー用具保持器具。
【考案の詳細な説明】
【技術分野】
【０００１】
本考案は、スキー板やスノーボード等のいわゆるスキー用具を立て掛けて保持する為のスキー用具保持器具に関し、特に、室内において、スキー用具をオブジェやインテリアの如く、飾っておくことの出来るスキー用具保持器具に関する。
【背景技術】
【０００２】
ウインタースポーツとして、スキーを楽しむユーザは多い。特に、近年、スノーボードを楽しむユーザが急速に増大しており、その結果、スキー板はもとより、スノーボードを所有するユーザも急速に増大している。
【０００３】
このような中、従来は、オフシーズンはもとより、オンシーズンにおいても、スキー場にスキー板やスノーボード（以下、スキー用具と称する）を持参していない日常においては、スキー用具の収納が面倒という問題があった。即ち、スキー用具は、一般に１ｍ〜２ｍ程度の長さを有し、かさばるものである故、収納スペースを確保することが困難という問題があった。
【０００４】
そこで、従来、ユーザは、スキー用具を倉庫や納戸に収納したり、或いは、室内の片隅にて、壁に立て掛けたりしていた。
【考案の開示】
【考案が解決しようとする課題】
【０００５】
上述した、従来のスキー用具の収納では、以下のような問題があった。
【０００６】
特にオンシーズンにおいて、ユーザは、数回スキー場に出向くことも多く、都度、倉庫や納戸にスキー用具を収納していたのでは、迂遠であるという問題があった。又、室内の片隅に立て掛ける場合等には、スキー用具を姿勢良く保持することが困難であり、その結果、スキー用具のエッジで壁を損傷させてしまったり、或いは、無造作に立て掛けられたスキー用具により、室内の美観を損なうという問題があった。又、振動等により、スキー用具が倒れたりする場合もあった。
【０００７】
本考案は、上述のような課題を解決する為になされたものであり、倉庫や納戸にスキー用具を収納するような迂遠さを解消し、例えば、室内において、スキー用具をオブジェやインテリアの如く、安定性をもって飾っておくことの出来るスキー用具保持器具を提供するものである。
【課題を解決するための手段】
【０００８】
本考案に係るスキー用具保持器具は、置床面から所定の高さ位置において、スキー用具の滑走面を当接させて支持する為の支持部と、スキー用具の長手方向端部を係合して保持する為の係合部と、支持部及び係合部を支持固定する為の基枠とを具備し、支持部は、係合部に対し、スキー用具保持器具の正面から見て後方に位置することにより、スキー用具を所定の角度に傾けた状態で保持することを特徴とする。
【０００９】
また、支持部には、スキー用具の滑走面と対向する位置に緩衝材が備えられているのが好ましい。
【００１０】
また、支持部は、略水平方向に所定の長さ延在したフレームであるのが好ましい。
【００１１】
また、基枠には、載置板が支持固定されているのが好ましい。
【００１２】
また、載置板は、網状部材であるのが好ましい。
【考案の効果】
【００１３】
本考案は、上記の構成としたことにより、以下の効果を奏する。
【００１４】
請求項１に係る考案によれば、スキー用具を、例えば室内にて保管しておくことが出来る為、スキー場に出向く際、倉庫や納戸から持ち出す手間が無い。更に、スキー用具を簡単に着脱可能としている為、スキー場に出向く際の荷造りにも手間を要さず、利便性が向上する。又、スキー用具を、例えば室内において、姿勢良く保管しておくことが出来る為、美観を損なうことが無い。特に、近年のスキー用具は、滑走面の裏面（ビンディング取付面）には装飾が施され、美観的に優れたものとなっている。よって、このような装飾面を有効に活用し、スキー用具をオブジェやインテリアの如く利用することが出来る。
【００１５】
請求項２に係る考案によれば、本考案に係るスキー用具保持器具にスキー用具を無造作に立て掛けたとしても、滑走面の損傷を防止することが出来る。
【００１６】
請求項３に係る考案によれば、簡単な構成で、本考案に係るスキー用具保持器具を形成することが出来、且つ、スキー用具を立て掛けていない時には、例えば、ハンガー掛け等にも利用出来る。
【００１７】
請求項４に係る考案によれば、本考案に係るスキー用具保持器具の空き領域（空間）をスキーブーツの載置スペースとして利用することが出来る。また、スキーブーツは、スキー用具を立て掛けた際には、当該スキー用具によって、全部或いは一部を外観上隠すことが出来る為、美観を損なうことも無い。
【００１８】
請求項５に係る考案によれば、スキーブーツの裏面に、例えば砂などの異物が付着した状態で、本考案に係るスキー用具保持器具に収納しても、載置板に異物が堆積することを防止出来、載置板の清掃を行う手間を無くすことが出来る。
【考案を実施するための最良の形態】
【００１９】
以下、本考案に係るスキー用具保持器具の一実施形態について、図面に基づいて説明する。
【００２０】
図１は、本考案の一実施形態に係るスキー用具保持器具の外観斜視図である。図２（ａ）は、図１のスキー用保持器具の正面図、図２（ｂ）は側面図、図２（ｃ）は上面図である。図３は、スキー用具保持器具の使用状態説明図である。
【００２１】
図１〜図３において、１はスキー用具保持器具(以下、器具１と称す)である。本実施形態における器具１は、軽量化、組み立て向上、販売時の商品サイズの小型化（併せて、在庫管理も向上）、更には、堅固性を確保すべく、中空の金属パイプの骨組み構造としている。
【００２２】
２は、器具１の基枠であり、略三角形状に形成された金属パイプにて器具１の両側面を構成している。又、基枠２の下部に、脚２ａ（両側面に各２個）が設けられている。本実施形態では、脚２ａは、基枠２に対し螺合されており、所定の長さ昇降可能となっている。従って、４つの脚２ａそれぞれの高さを調整することにより、器具１を設置する床面の歪みなどを吸収し、バランス良く、器具１を設置することが可能である。
【００２３】
尚、基枠２は、本実施形態の通り、略三角形状に形成された金属パイプとしたが、これに限らず、略四角形でも良く、又、金属板や樹脂板をプレス加工（打ち抜き加工）した板物でも良い。即ち、両側面の構成態様は適宜変更可能である。但し、基枠２を板物とせず、図１に示すような金属パイプとすることにより、両側面が開放される為、後述するスキーブーツ１２（図３参照）の出し入れ等において、利便性が向上する。
【００２４】
３は基枠２、２を所定の間隔を設けて、接続固定する第一の接続フレームであり、器具１の底部において、前方を接続する前方フレーム３ａ、後方を接続する後方フレーム３ｂからなる。
【００２５】
４は基枠２、２を器具１の上部において接続する第二の接続フレームであり、当該第二の接続フレームは、後述するように、スキー用具１１（図３参照）を器具１に立て掛ける際の支持部（以下、支持部４と称す）として機能する。
【００２６】
５は支持部４を被覆するように挿着させた緩衝材であり、本実施形態では、環状に形成された発泡性のクッション材である。尚、本実施形態では、図１に示すように、緩衝材５を２箇所に設けているが、これに限らず、１箇所でも３箇所以上でも良い。又、材質も、発泡性のクッションに限らず、例えば、シリコーン等のゴム材でも良い。即ち、緩衝材５は、スキー用具１１を立て掛けた際に、スキー用具の損傷を防止し、且つ、安定性を確保出来れば良い。従って、適当な幅を有し、適当な弾力性を有しておれば、適宜変更可能である。
【００２７】
６はスキー用具１１の長手方向端部１１ａ（図３参照）を係合保持する為の係合部であり、金属板を矩形状に折り曲げてなる。尚、係合部６は、前方フレーム３ａに螺合（図示せず）固定されている。
【００２８】
７は基枠２、２に設置された網状の載置板であり、例えば、スキーブーツ１２を載置する為のものである。本実施形態においては、図示しない位置決め部材により、基枠２、２に対し、載置板７を位置決め設置しているが、外れ防止の為の固定はしていない。よって、取り外しが容易である為、洗浄等も行いやすい。勿論、スナップフィットや螺合固定等の外れ防止機構を設けた構成も成り立つことは言うまでもない。
【００２９】
以下、本実施形態における器具１の使用方法について説明する。
【００３０】
まず、ユーザは、例えば室内の所望の位置に器具１を設置する。この時、当該室内にて、器具１の正面が見やすいように設置することが望ましい。
【００３１】
次に、ユーザは、日常、載置板７にスキーブーツ１２を収納すると共に、スキー用具１１（本実施形態では、スノーボード）の長手方向端部１１ａを係合部６に係合させながら、スキー用具１１を傾斜させ、支持部４に、スキー用具１１の滑走面１１ｂを当接させることにより、器具１にスキー用具１１を保持させる。
【００３２】
この時、図１に示すように、支持部４は、略三角形の基枠２の頂点付近に接続され、係合部６を備えた前方フレーム３ａは、基枠２の底部前方の角部付近に接続されている為、スキー用具１１は、図３に示すように、所定角度傾いた状態で、器具１に保持される。従って、スキー用具１１の自重により、安定した状態で、器具１に保持可能となる。
【００３３】
また、支持部４と滑走面１１ｂの間には緩衝材５が介在する為、例えば、スキー用具１１を器具１に無造作に立て掛けた場合においても、滑走面の損傷を防止出来る。
【００３４】
また、スキー用具１１は、一般にビンディング取付面１１ｃ（以下、装飾面１１ｃと称す）には鮮やかな装飾が施されている。従って、器具１にスキー用具１１を保持した状態においては、装飾面１１ｃが美観性をもたらし、室内において、オブジェやインテリアの如く、利用することが出来る。
【００３５】
また、上述した通り、スキー用具１１は器具１に対し傾けられて保持される為、滑走面１１ｂ側の下方には空間が出来る。本実施形態では、当該空間を利用して、スキーブーツ１２を収納し、収納スペースの有効利用を図っている。
【００３６】
また、器具１にスキー用具１１及びスキーブーツ１２を収納保持した状態において、正面から見た場合、スキーブーツ１２の全部或いは一部はスキー用具１１に隠される。従って、美観を損なうという問題も抑制される。
【００３７】
また、支持部４は棒状のフレーム形状としている為、スキー用具１１を立て掛けていない時には、例えば、ハンガー掛け等にも利用出来る。
【００３８】
また、載置板７は網状としている為、スキーブーツ１２の裏面に、例えば砂などの異物が付着した状態で、器具１に収納しても、載置板７に異物が堆積することを防止出来る。
【００３９】
以上、本実施形態について詳細に説明したが、本考案の要旨は、スキー用具１１を収納する為の器具１を簡単な構造で形成し、且つ、室内において、器具１と一体となったスキー用具１１（特に装飾面１１ｃ）をオブジェやインテリアの如く利用可能なことにある。従って、このような本考案の要旨を逸脱しない限り、本実施形態の構造に限られず、適宜変更可能である。
【図面の簡単な説明】
【００４０】
【図１】本実施形態に係るスキー用具保持器具の外観斜視図である。
【図２】図１のスキー用具保持器具の（ａ）正面図、（ｂ）側面図、（ｃ）上面図である。
【図３】図３は、スキー用具保持器具の使用状態説明図である。
【符号の説明】
【００４１】
１  スキー用具保持器具
２  基枠
４  支持部
５  緩衝材
６  係合部
７  載置板
１１  スノーボード（スキー用具）
１１ａ  スノーボード（スキー用具）の長手方向端部
１１ｂ  滑走面
【図１】
0003128664.tif 000003
【図２】
0003128664.tif 000004
【図３】
0003128664.tif 000005